(57)【要約】眼の位置が変わる場合においても、眼を撮像することで取得される観察画像を被験者に好適に視認させる。観察装置（１）は、被験者の眼の角膜の表面に投影するべき第１画像及び眼の網膜上で結像するべき第２画像を眼に投影可能な投影手段（１１０）と、眼を撮像することで観察画像を取得する撮像手段（１４０）とを備え、投影手段は、観察画像を第２画像として用い、且つ、第２画像を網膜上で結像させる光（Ｌ１２）が眼の瞳孔を通過するように第２画像の投影位置を調整する。
2016067365.tif 000002
【特許請求の範囲】
【請求項１】
被験者の眼の状態を観察する観察装置であって、
前記眼の角膜の表面に投影するべき第１画像及び前記眼の網膜上で結像するべき第２画像を前記眼に投影可能な投影手段と、
前記眼を撮像することで観察画像を取得する撮像手段と
を備え、
前記投影手段は、前記観察画像を前記第２画像として用い、且つ、前記第２画像を前記網膜上で結像させる光が前記眼の瞳孔を通過するように前記第２画像の投影位置を調整する
ことを特徴とする観察装置。
【請求項２】
前記瞳孔の位置を検出する検出手段を更に備え、
前記投影手段は、前記検出手段が検出した前記瞳孔の位置に基づいて、前記第２画像を前記網膜上で結像させる光が前記眼の瞳孔を通過するように前記第２画像の投影位置を調整する
ことを特徴とする請求項１に記載の観察装置。
【請求項３】
前記投影手段は、前記検出手段が検出した前記瞳孔の現在位置の瞳孔基準位置からのずれ量に応じた量だけ前記第２画像の投影位置が投影基準位置からずれるように、前記第２画像の投影位置を調整する
ことを特徴とする請求項２に記載の観察装置。
【請求項４】
前記検出手段は、前記観察画像に基づいて、前記瞳孔の位置を検出する
ことを特徴とする請求項２又は３に記載の観察装置。
【請求項５】
前記投影手段は、前記第１画像を前記角膜の表面に投影する光が前記瞳孔の周囲に投影されるように前記第１画像の投影位置を調整する
ことを特徴とする請求項１から４のいずれか一項に記載の観察装置。
【請求項６】
前記投影手段は、前記角膜の表面において前記第２画像の投影位置の周囲に前記第１画像の投影位置が分布するように、前記第１画像及び前記第２画像を投影する
ことを特徴とする請求項１から５のいずれか一項に記載の観察装置。
【請求項７】
被験者の眼の角膜の表面に投影するべき第１画像及び前記眼の網膜上で結像するべき第２画像を前記眼に投影可能な投影手段と、前記眼を撮像することで観察画像を取得する撮像手段とを用いて前記眼の状態を観察する観察方法であって、
前記観察画像を前記第２画像として用い、且つ、前記第２画像を前記網膜上で結像させる光が前記眼の瞳孔を通過するように前記第２画像の投影位置を調整する
ことを特徴とする観察方法。
【請求項８】
被験者の眼の角膜の表面に投影するべき第１画像及び前記眼の網膜上で結像するべき第２画像を前記眼に投影可能な投影手段と、前記眼を撮像することで観察画像を取得する撮像手段とを用いて前記眼の状態を観察する観察装置を動作させるコンピュータプログラムであって、
前記観察画像を前記第２画像として用い、且つ、前記第２画像を前記網膜上で結像させる光が前記眼の瞳孔を通過するように前記第２画像の投影位置を調整する動作を前記観察装置に実行させることを特徴とするコンピュータプログラム。
【発明の詳細な説明】
【技術分野】
【０００１】
本発明は、被験者の眼の状態（例えば、角膜の表面に形成される涙液層の状態）を観察する観察装置及び観察方法並びにコンピュータプログラムに関する。
【背景技術】
【０００２】
このような観察装置として、被験者の眼を撮像することで得られる観察画像を被験者に提示する観察装置が知られている。例えば、特許文献１には、テレビカメラで撮影した被験眼の眼底像を被験眼に対して表示するテレビモニタを備える眼底カメラが記載されている。特許文献２には、テレビカメラで撮影された被験眼の前眼部像を被験者に向けて提示する液晶ディスプレイを備える眼科検査装置が記載されている。特許文献３には、前眼部像が結像する受光素子からの映像信号を表示する表示器を備え、被験者が測定中に表示器に表示された像を注視することができる眼科装置が記載されている。
【先行技術文献】
【特許文献】
【０００３】
【特許文献１】特開昭６３−５９９２７号公報
【特許文献２】特開平６−２４５９０７号公報
【特許文献３】特許第２９６０７３９号
【発明の開示】
【発明が解決しようとする課題】
【０００４】
特許文献１から特許文献３に記載された観察装置は、被験者の眼の位置（例えば、前眼ないしは瞳孔の位置等）が変わる場合に、被験者が視認可能な観察画像を提示し続けることが困難である又は容易ではない。つまり、特許文献１から特許文献３に記載された観察装置は、被験者が眼を動かした場合に、被験者が視認可能な観察画像を提示し続けることが困難である又は容易ではない。【０００５】
例えば、特許文献１に記載された観察装置は、被験者の眼が廻る場合にテレビモニタを光軸と垂直な面の所要範囲を移動させることができる。しかしながら、被験者の眼が廻る都度テレビモニタを物理的に移動させる必要があるがゆえに、被験者が視認可能な観察画像を比較的容易に提示し続けることが困難である。【０００６】
例えば、特許文献２及び３に記載された観察装置は、被験者の眼の位置の変化を何ら考慮していない。このため、被験者の眼の位置の変化に起因して、観察画像を網膜上で結像させるための光が瞳孔を通過することができなくなる可能性がある。その結果、被験者は、観察画像を視認することができなくなる可能性がある。【０００７】
本発明が解決しようとする課題には上記のようなものが一例として挙げられる。本発明は、眼の位置が変わる場合においても、眼を撮像することで取得される観察画像を被験者が好適に視認することが可能な観察装置及び観察方法並びにコンピュータプログラムを提供することを課題とする。
【課題を解決するための手段】
【０００８】
上記課題を解決するために、本発明の観察装置は、被験者の眼の状態を観察する観察装置であって、前記眼の角膜の表面に投影するべき第１画像及び前記眼の網膜上で結像するべき第２画像を前記眼に投影可能な投影手段と、前記眼を撮像することで観察画像を取得する撮像手段とを備え、前記投影手段は、前記観察画像を前記第２画像として用い、且つ、前記第２画像を前記網膜上で結像させる光が前記眼の瞳孔を通過するように前記第２画像の投影位置を調整する。【０００９】
上記課題を解決するために、本発明の観察方法は、被験者の眼の角膜の表面に投影するべき第１画像及び前記眼の網膜上で結像するべき第２画像を前記眼に投影可能な投影手段と、前記眼を撮像することで観察画像を取得する撮像手段とを用いて前記眼の状態を観察する観察方法であって、前記観察画像を前記第２画像として用い、且つ、前記第２画像を前記網膜上で結像させる光が前記眼の瞳孔を通過するように前記第２画像の投影位置を調整する。【００１０】
上記課題を解決するために、本発明のコンピュータプログラムは、被験者の眼の角膜の表面に投影するべき第１画像及び前記眼の網膜上で結像するべき第２画像を前記眼に投影可能な投影手段と、前記眼を撮像することで観察画像を取得する撮像手段とを用いて前記眼の状態を観察する観察装置を動作させるコンピュータプログラムであって、前記観察画像を前記第２画像として用い、且つ、前記第２画像を前記網膜上で結像させる光が前記眼の瞳孔を通過するように前記第２画像の投影位置を調整する動作を前記観察装置に実行させる。【００１１】
本発明のこのような作用及び利得は次に説明する実施の形態から明らかにされる。
【図面の簡単な説明】
【００１２】
【図１】第１実施例の観察装置の構成を示すブロック図である。
【図２】第１実施例の観察装置の動作の流れを示すフローチャートである。
【図３】検査画像を示す平面図である。
【図４】観察画像を示す平面図である。
【図５】検査画像と観察画像とを合成することで得られる投影画像を示す平面図である。
【図６】観察画像の表示位置の調整動作を説明する模式図である。
【図７】観察画像の表示位置の調整動作を説明する模式図である。
【図８】第２実施例の観察装置の構成を示すブロック図である。
【図９】第３実施例の観察装置の構成を示すブロック図である。
【発明を実施するための形態】
【００１３】
以下、発明を実施するための形態として、本発明の観察装置及び観察方法、並びにコンピュータプログラムの夫々に係る実施形態について順に説明する。
【００１４】
（観察装置の実施形態）
＜１＞
本実施形態の観察装置は、被験者の眼の状態を観察する観察装置であって、前記眼の角膜の表面に投影するべき第１画像及び前記眼の網膜上で結像するべき第２画像を前記眼に投影可能な投影手段と、前記眼を撮像することで観察画像を取得する撮像手段とを備え、前記投影手段は、前記観察画像を前記第２画像として用い、且つ、前記第２画像を前記網膜上で結像させる光が前記眼の瞳孔を通過するように前記第２画像の投影位置を調整する。
【００１５】
本実施形態の観察装置によれば、被験者の眼の状態が観察される。例えば、観察装置は、眼（典型的には、眼の表面、角膜の表面、角膜の表面に形成される涙液層の表面、涙液層を覆っている油層の表面又は角膜に写っている投影画像）の状態を観察することができる。尚、ここで言う「眼の状態を観察する」という動作は、眼の状態を直接的に又は間接的に推定するための任意の動作を包含する。例えば、「眼の状態を観察する」という動作は、後述する眼を撮像する（典型的には、眼の表面、角膜の表面又は角膜の表面に形成される涙液層を撮像する）動作を含んでいてもよい。例えば、「眼の状態を観察する」という動作は、眼を撮像することで取得される観察画像を解析する動作を含んでいてもよい。例えば、「眼の状態を観察する」という動作は、観察画像の解析結果に基づいて眼の状態を直接的に又は間接的に推定する動作を含んでいてもよい。但し、「眼の状態を観察する」という動作の一部は、観察装置のユーザ（例えば、眼科医や被験者等）によって行われてもよい。例えば、観察装置のユーザは、観察装置が眼を撮像することで取得される観察画像に基づいて、眼の状態を直接的に又は間接的に推定してもよい。
【００１６】
眼の状態を観察するために、観察装置は、投影手段と、撮像手段とを備えている。
【００１７】
投影手段は、第１画像及び第２画像の双方を、被験者の眼に投影する。つまり、投影手段は、第１画像及び第２画像を含む又は第１画像及び第２画像を合成することで得られる投影画像を、被験者の眼に投影する。尚、ここで言う「投影画像を眼に投影する」動作とは、投影画像が眼の表面上で結像しているか否かに関わらず、眼の表面上の所望領域に投影画像に相当する投影光又は照明光を導く又は照射する動作全般を意味するものとする。従って、「投影画像を眼に投影する」動作は、投影画像を眼に直接的に投影する動作のみならず、投影画像を所望の光学手段（例えば、拡散板）に投影すると共に当該光学手段に投影された投影画像が眼に映りこむ状態を実現する動作や、投影画像に対応する明暗パターンで眼を照明する動作等を含み得るものとする。
【００１８】
第１画像は、被験者の眼の角膜の表面に投影される画像である。第１画像は、角膜の表面上で結像する画像であってもよい。第１画像は、角膜の表面上で結像する画像でなくてもよい。第１画像は、被験者の眼の網膜上で結像する画像でなくてもよい。一方で、第２画像は、第１画像とは異なる画像である。第２画像は、被験者の眼の網膜上で結像する画像である。尚、投影手段側から見て網膜が角膜よりも奥側に位置する（つまり、網膜上で結像する画像は、角膜上で結像していないものの、角膜にも投影されている）ことを考慮すれば、第２画像は、角膜の表面に投影される画像であるとも言える。
【００１９】
投影手段の第１例は、第１画像及び第２画像を表示する表示手段（例えば、後述する表示素子）と、第１画像を角膜に投影させるための光及び第２画像を網膜上で結像させるための光を眼に導く導光手段とを備えていてもよい。導光手段の第１例は、第１画像を角膜に投影させるための光を拡散する拡散手段（例えば、後述する拡散板等）と、第２画像を網膜上で結像させるための光を網膜に導く光学手段（例えば、後述するケーラー照明用レンズや接眼レンズ等）とを備えていてもよい。導光手段の第２例は、第１画像を角膜に投影させるための光を角膜に導くと共に、第２画像を網膜上で結像させるための光を網膜に導く光学手段（例えば、後述する対物レンズ等）を備えていてもよい。
【００２０】
投影手段の第２例は、第１画像に応じた明暗パターンで光を投射する（言い換えれば、眼を照明する）投射手段（例えば、後述するプラチド板等）と、第２画像を表示する表示手段（例えば、後述する表示素子等）と、第２画像を網膜上で結像させるための光を網膜に導く導光手段（例えば、後述する接眼レンズ等）を備えていてもよい。
【００２１】
撮像手段は、眼を撮像することで観察画像を取得する。特に、撮像手段は、眼の表面（例えば、角膜の表面）を撮像することで観察画像を取得する。また、撮像手段は、少なくとも第１画像が投影されている眼を撮像することで観察画像を取得することが好ましい。但し、撮像手段は、第１画像が投影されていない眼を撮像することで観察画像を取得してもよい。
【００２２】
本実施形態では特に、投影手段は、撮像手段が取得した観察画像を第２画像として用いる。従って、投影手段は、撮像手段が取得した観察画像を、当該観察画像が網膜上で結像するように、被験者の眼に投影する。
【００２３】
本実施形態では更に、投影手段は、第２画像（つまり、観察画像）の投影位置を調整する。特に、投影手段は、第２画像を網膜上で結像させるための光が被験者の眼の瞳孔を通過するように、第２画像の投影位置を調整する。従って、被験者の眼の位置（例えば、前眼ないしは瞳孔の位置等）が変わる場合であっても、投影手段は、被験者の眼の位置に合わせて第２画像の投影位置を調整することができる。その結果、投影手段は、第２画像を網膜上で結像させるための光が瞳孔（例えば、位置が変わった瞳孔）を通過するように、第２画像を投影することができる。
【００２４】
投影手段は、制御手段の制御下で、第２画像（つまり、観察画像）の投影位置を調整してもよい。つまり、本実施形態の観察装置は、第２画像（つまり、観察画像）の投影位置を調整するように投影手段を制御する制御手段を備えていてもよい。特に、制御手段は、第２画像を網膜上で結像させるための光が被験者の眼の瞳孔を通過することを目的として第２画像の投影位置を調整するように、投影手段を制御してもよい。
【００２５】
ここで言う「第２画像の投影位置」は、典型的には、角膜の表面上における第２画像の投影位置（つまり、第２画像を網膜に結像させるための光の、角膜表面上における照射位置）を意味する。但し、第２画像を網膜上で結像させるための光を眼に導く導光手段（例えば、後述する投影レンズ、ケーラー照明用レンズ、接眼レンズ又は対物レンズ等）の光軸に直交する仮想的な平面上における第２画像の投影位置の調整は、実質的には、角膜の表面上における第２画像の投影位置の調整につながる。従って、ここで言う「第２画像の投影位置」は、第２画像を網膜上で結像させるための光を眼に導く導光手段の光軸に直交する仮想的な平面上における第２画像の投影位置を意味していてもよい。
【００２６】
このように、本実施形態の観察装置は、第２画像として用いられる観察画像を網膜上で結像させるための光が被験者の眼の瞳孔を通過するように、観察画像の投影位置を調整することができる。このため、被験者は、観察画像を好適に視認することができる。特に、被験者の眼の位置（例えば、前眼ないしは瞳孔の位置等）が変わる場合であっても、被験者は、観察画像を好適に視認することができる。
【００２７】
＜２＞
本実施形態の観察装置の他の態様では、前記瞳孔の位置を検出する検出手段を更に備え、前記投影手段は、前記検出手段が検出した前記瞳孔の位置に基づいて、前記第２画像を前記網膜上で結像させる光が前記眼の瞳孔を通過するように前記第２画像の投影位置を調整する。
【００２８】
この態様によれば、観察装置は、第２画像として用いられる観察画像を網膜上で結像させるための光が被験者の眼の瞳孔を通過するように、検出手段が検出した瞳孔の位置に基づいて、観察画像の投影位置を調整することができる。このため、観察装置は、観察画像を網膜上で結像させるための光が被験者の眼の瞳孔を通過するように、観察画像の投影位置を好適に調整することができる。
【００２９】
＜３＞
上述の如く検出手段を備える観察装置の他の態様では、前記投影手段は、前記検出手段が検出した前記瞳孔の現在位置の瞳孔基準位置からのずれ量に応じた量だけ前記第２画像の投影位置が投影基準位置からずれるように、前記第２画像の投影位置を調整する。
【００３０】
この態様によれば、観察装置は、第２画像として用いられる観察画像を網膜上で結像させるための光が被験者の眼の瞳孔を通過するように、検出手段が検出した瞳孔の位置に基づいて、観察画像の投影位置を調整することができる。
【００３１】
例えば、瞳孔が瞳孔基準位置に位置する状況下において投影手段が角膜の表面上の投影基準位置に観察画像を投影すると、観察画像を網膜上で結像させるための光が被験者の眼の瞳孔を通過する観察装置を想定する。このような観察装置では、瞳孔の現在位置が瞳孔基準位置からずれた場合には、投影手段が角膜の表面上の投影基準位置に観察画像を投影しても、観察画像を網膜上で結像させるための光の一部又は全部が被験者の眼の瞳孔を通過しなくなる可能性がある。そこで、この態様の観察装置は、瞳孔の現在位置が瞳孔基準位置からずれた場合には、瞳孔の現在位置の瞳孔基準位置からのずれ量に応じた量だけ、角膜の表面上における観察画像の投影位置が投影基準位置からずれるように、観察画像の投影位置を調整する。その結果、瞳孔の現在位置が瞳孔基準位置からずれた場合には、投影手段が角膜の表面上の投影基準位置からずれた位置（典型的には、瞳孔が存在する位置）に観察画像を投影するがゆえに、観察画像を網膜上で結像させるための光が被験者の眼の瞳孔を通過することになる。その結果、被験者の眼の位置（例えば、前眼ないしは瞳孔の位置等）が変わる場合であっても、被験者は、観察画像を好適に視認することができる。
【００３２】
＜４＞
上述の如く検出手段を備える観察装置の他の態様では、前記検出手段は、前記観察画像に基づいて、前記瞳孔の位置を検出する。
【００３３】
この態様によれば、検出手段は、眼を撮像することで撮像手段が取得する観察画像に基づいて、瞳孔の位置を比較的容易に検出することができる。尚、検出手段が瞳孔の位置を検出する具体的手法は任意である。但し、典型的には、検出手段は、観察画像を解析することで、瞳孔の位置を検出する。
【００３４】
＜５＞
本実施形態の観察装置の他の態様では、前記投影手段は、前記第１画像を前記角膜の表面に投影する光が前記瞳孔の周囲に投影されるように前記第１画像の投影位置を調整する。
【００３５】
この態様によれば、被験者は、第２画像として用いられる観察画像を好適に視認する一方で、視認する必要性が相対的に小さい第１画像の一部又は全部を視認することはなくなる。従って、被験者は、第２画像として用いられる観察画像と共に眼に投影される第１画像に煩わされることなく、観察画像を好適に視認することができる。
【００３６】
＜６＞
本実施形態の観察装置の他の態様では、前記投影手段は、前記角膜の表面において前記第２画像の投影位置の周囲に前記第１画像の投影位置が分布するように、前記第１画像及び前記第２画像を投影する。
【００３７】
この態様によれば、投影手段は、第２画像が中心部に位置する一方で第１画像が外縁部に位置する投影画像を眼に投影することができる。ここで、瞳孔が眼の中心（つまり、眼の表面、前眼部の表面又は角膜の表面の中心）に位置する可能性が高いことを考慮すれば、投影手段が投影する投影画像の中心部に位置する第２画像を網膜上で結像させる光は、瞳孔を通過しやすくなる。従って、投影手段は、第２画像を網膜上で結像させる光が瞳孔を通過するように、第２画像を好適に投影することができる。
【００３８】
（観察方法の実施形態）
＜７＞
本実施形態の観察方法は、被験者の眼の角膜の表面に投影するべき第１画像及び前記眼の網膜上で結像するべき第２画像を前記眼に投影可能な投影手段と、前記眼を撮像することで観察画像を取得する撮像手段とを用いて前記眼の状態を観察する観察方法であって、前記観察画像を前記第２画像として用い、且つ、前記第２画像を前記網膜上で結像させる光が前記眼の瞳孔を通過するように前記第２画像の投影位置を調整する。
【００３９】
本実施形態の観察方法によれば、上述した本実施形態の観察装置が享受する各種効果と同様の効果を享受することが可能となる。尚、上述した本実施形態の観察装置における各種態様に対応して、本実施形態の観察方法も各種態様を採ることが可能である。
【００４０】
（コンピュータプログラムの実施形態）
＜８＞
本実施形態のコンピュータプログラムは、被験者の眼の角膜の表面に投影するべき第１画像及び前記眼の網膜上で結像するべき第２画像を前記眼に投影可能な投影手段と、前記眼を撮像することで観察画像を取得する撮像手段とを用いて前記眼の状態を観察する観察装置を動作させるコンピュータプログラムであって、前記観察画像を前記第２画像として用い、且つ、前記第２画像を前記網膜上で結像させる光が前記眼の瞳孔を通過するように前記第２画像の投影位置を調整する動作を前記観察装置に実行させる。
【００４１】
本実施形態のコンピュータプログラムによれば、上述した本実施形態の観察装置が享受する各種効果と同様の効果を享受することが可能となる。尚、上述した本実施形態の観察装置における各種態様に対応して、本実施形態のコンピュータプログラムも各種態様を採ることが可能である。また、本実施形態のコンピュータプログラムは、コンピュータによって読み取り可能な記録媒体に記録されていてもよい。
【００４２】
本実施形態のこのような作用及び他の利得は次に説明する実施例から更に明らかにされる。
【００４３】
以上説明したように、本実施形態の観察装置は、投影手段及び撮像手段を備え、第２画像として用いられる観察画像を網膜上で結像させる光が眼の瞳孔を通過するように観察画像の投影位置を調整する。本実施形態の観察方法は、第２画像として用いられる観察画像を網膜上で結像させる光が眼の瞳孔を通過するように観察画像の投影位置を調整する。本実施形態のコンピュータプログラムは、第２画像として用いられる観察画像を網膜上で結像させる光が眼の瞳孔を通過するように観察画像の投影位置を調整する動作を観察装置に実行させる。従って、眼の位置が変わる場合においても、眼を撮像することで取得される観察画像を被験者が好適に視認することができる。
【実施例】
【００４４】
以下、図面を参照しながら、本発明の観察装置及び観察方法並びにコンピュータプログラムの実施例を説明する。尚、以下では、本発明の観察装置及び観察方法並びにコンピュータプログラムが、被験者の角膜の表面を撮像することで観察画像を取得すると共に当該取得した観察画像を解析することで角膜の表面に形成される涙液層の状態を推定する（言い換えれば、計測する）観察装置に適用されるものとする。【００４５】
但し、本発明の観察装置及び観察方法並びにコンピュータプログラムは、被験者の眼の状態を観察する任意の観察装置に対して適用されてもよい。例えば、本発明の観察装置及び観察方法並びにコンピュータプログラムは、被験者の角膜の表面を撮像することで観察画像を取得するとともに当該取得した観察画像をユーザ（例えば、眼科医）等に向けて表示する観察装置に対して適用されてもよい。この場合、ユーザは、観察装置が表示する観察画像に基づいて、眼の状態を推定してもよい。【００４６】
（１）第１実施例
はじめに、図１から図７を参照しながら、第１実施例の観察装置１について説明する。【００４７】
（１−１）第１実施例の観察装置１の構成
はじめに、図１を参照しながら、第１実施例の観察装置１の構成について説明する。図１は、第１実施例の観察装置１の構成を示すブロック図である。【００４８】
図１に示すように、第１実施例の観察装置１は、上述した実施形態中の「投影手段」の一具体例である投影部１１０と、上述した実施形態中の「投影手段」の一具体例である拡散板１２０と、上述した実施形態中の「投影手段」の一具体例である接眼レンズ１２４と、上述した実施形態中の「投影手段」の一具体例であるケーラー照明用レンズ１３１と、ビームスプリッタ１３２と、上述した実施形態中の「撮像手段」の一具体例である撮像部１４０と、上述した実施形態中の「制御手段」の一具体例である制御部１５０とを備える。尚、図１では、投影部１１０、拡散板１２０、接眼レンズ１２４、ケーラー照明用レンズ１３１、ビームスプリッタ１３２及び撮像部１４０の夫々は、投影部１１０、接眼レンズ１２４、ケーラー照明用レンズ１３１又は撮像部１４０の光軸に沿った断面図を用いて記載されている。【００４９】
投影部１１０は、所望の投影画像を投影する。投影部１１０は、投影画像の少なくとも一部が後述する拡散板１２０上で結像するように、投影画像を投影する。投影部１１０は、投影画像の少なくとも一部が網膜上で結像するように、投影画像を投影する。投影画像を投影するために、投影部１１０は、表示素子１１１と、投影レンズ１１２と、投影絞り１１３とを備える。【００５０】
表示素子１１１は、投影部１１０が投影するべき投影画像を表示する。表示素子１１１は、例えば、液晶ディスプレイ等の任意のディスプレイ装置である。【００５１】
表示素子１１１は、投影画像が表示される表示面１１１ａを備えている。第１実施例では、表示面１１１ａは、涙液層の状態を観察するために用いられる検査画像（後述する図３（ａ）から図３（ｄ）参照）を表示するための第１表示領域１１１ａ１と、撮像部１４０の撮像結果である観察画像（後述する図４参照）を表示するための第２表示領域１１１ａ２とに仮想的に区分される。【００５２】
第１表示領域１１１ａ１は、第２表示領域１１１ａ２を取り囲むように分布する。言い換えれば、第１表示領域１１１ａ１は、第２表示領域１１１ａ２の周囲又は外側に分布する。第２表示領域１１１ａ２は、第１表示領域１１１ａ１よりも表示面１１１ａの中心部に近接していることが好ましい。【００５３】
表示素子１１１は、第１表示領域１１１ａ１に検査画像を表示する。更に、表示素子１１１は、第２表示領域１１１ａ２に観察画像を表示する。つまり、第１実施例では、表示素子１１１は、検査画像が観察画像を取り囲むように（言い換えれば、検査画像の中心部又は当該中心部の近傍に観察画像が位置するように）観察画像と検査画像とを合成することで得られる投影画像を表示する。その結果、第１表示領域１１１ａ１からは、検査画像を眼に投影する（より具体的には、検査画像を拡散板１２０に投影する）ための照明光Ｌ１１が出射される。第２表示領域１１１ａ２からは、観察画像を眼に投影する（より具体的には、観察画像を網膜上に結像させる）ための照明光Ｌ１２が出射される。【００５４】
投影レンズ１１２は、照明光Ｌ１１を拡散板１２０上に結像させる。その結果、投影部１１０が投影する検査画像は、拡散板１２０上で結像する。加えて、投影レンズ１１２は、ケーラー照明用レンズ１３１及び接眼レンズ１２４と共に、照明光Ｌ１２を網膜上に結像させる。その結果、投影部１１０が投影する観察画像は、網膜上で結像する。【００５５】
投影絞り１１３は、投影部１１０から出射する照明光Ｌ１１及び照明光Ｌ１２の光量を調整する。【００５６】
拡散板１２０は、拡散板１２０に入射してくる照明光Ｌ１１を拡散する板（言い換えれば、スクリーン）である。具体的には、拡散板１２０は、投影部１１０側を向いている拡散板１２０の表面１２１に入射してくる照明光Ｌ１１を、被験者側（角膜側）を向いている拡散板１２０の表面１２２から照明光Ｌ２１として拡散する。拡散板１２０によって拡散された照明光Ｌ２１の少なくとも一部は、角膜を照明する。【００５７】
第１実施例では、拡散板１２０の表面１２２の断面（具体的には、光軸に沿った断面）は、のこぎり状の断面となることが好ましい。つまり、表面１２２は、フレネルレンズの表面の如き形状を有していることが好ましい。特に、表面１２２の断面は、表面１２２の断面がのこぎり状の断面とならない場合と比較してより多くの照明光Ｌ１１を照明光Ｌ２１として角膜に向けて拡散することが可能なのこぎり状の断面となることが好ましい。その結果、図１に示すように、照明光Ｌ１１は、より多くの照明光Ｌ１１が照明光Ｌ２１として角膜に向かうように、拡散板１２０によって拡散される。【００５８】
第１実施例では、拡散板１２０には、開口１２３が形成されている。被験者の眼は、角膜が開口１２３に対向することが可能な位置に位置している。開口１２３は、表面１２１から表面１２２に向かって拡散板１２０を貫通する開口である。【００５９】
開口１２３は、角膜によって反射された照明光Ｌ２１である反射光Ｌ３１が通過する開口である。開口１２３には、反射光Ｌ３１をビームスプリッタ１３２の反射面に導く接眼レンズ１２４が配置されている。【００６０】
開口１２３は更に、ビームスプリッタ１３２を通過した後に拡散板１２０に入射してくる照明光Ｌ１２が通過する開口である。開口１２３を通過する照明光Ｌ１２は、開口１２３に配置される接眼レンズ１２４によって、網膜に導かれる。その結果、照明光Ｌ１２は、網膜上で結像する。つまり、投影部１１０から出射する照明光Ｌ１２は、拡散板１２０によって拡散されることはない。但し、投影部１１０から出射する照明光Ｌ１２の少なくとも一部が、拡散板１２０によって拡散されてもよい。【００６１】
尚、図１では、拡散板１２０は、透過型の拡散板である。しかしながら、拡散板１２０は、反射型の拡散板であってもよい。また、観察装置１は、拡散板１２０に加えて又は代えて、拡散板１２０に入射してくる照明光Ｌ１１を拡散することが可能な任意の光学素子を備えていてもよい。例えば、観察装置１は、拡散板１２０に加えて又は代えて、フレネルレンズを備えていてもよい。また、拡散板１２０の表面１２２の断面は、のこぎり状の断面でなくてもよい。例えば、拡散板１２０の表面１２２は、平面であってもよい。【００６２】
ケーラー照明用レンズ１３１は、投影レンズ１１２及び接眼レンズ１２４と共に、照明光Ｌ１２を網膜上に結像させる。典型的には、ケーラー照明用レンズ１３１と接眼レンズ１２４との間には、照明光Ｌ１２が結像する中間結像面が位置する。例えば、照明光Ｌ１２は、ケーラー照明用レンズ１３１と接眼レンズ１２４との間に位置する接眼レンズ１２４の前側焦点と一致する中間結像面上で結像する。尚、照明光Ｌ１１は、ケーラー照明用レンズ１３１を通過しない（つまり、ケーラー照明用レンズ１３１のレンズ面を通過しない）ことが好ましい。但し、照明光Ｌ１１の少なくとも一部は、ケーラー照明用レンズ１３１を通過してもよい。【００６３】
ビームスプリッタ１３２は、投影部１１０から出射する照明光Ｌ１１及び照明光Ｌ１２を透過する。一方で、ビームスプリッタ１３２は、角膜によって反射された照明光Ｌ２１である反射光Ｌ３１を、撮像部１４０に向けて反射する。【００６４】
撮像部１４０は、検査画像が投影されている拡散板１２０の角膜反射像（つまり、角膜によって反射された照明光Ｌ２１である反射光Ｌ３１によって形成される画像であり、実質的には拡散板１２０の表面１２２）又は角膜の表面を撮像する。角膜反射像又は角膜の表面を撮像するために、撮像部１４０は、撮像絞り１４１と、撮像レンズ１４２と、撮像素子１４３とを備えている。【００６５】
撮像絞り１４１は、ビームスプリッタ１３０によって反射された反射光Ｌ３１の光量（より具体的には、撮像素子１４３に向かう反射光Ｌ３１の光量）を調整する。【００６６】
撮像レンズ１４２は、反射光Ｌ３１を撮像素子１４３上に（より具体的には、撮像素子１４３の撮像面上に）結像させる。その結果、撮像素子１４３上では、検査画像が投影されている拡散板１２０の角膜反射像又は角膜の表面を示す画像が結像する。【００６７】
撮像素子１４３は、撮像素子１４３に入射してくる反射光Ｌ３１を電気信号に変換するＣＣＤセンサ又はＣＭＯＳセンサを備えている。その結果、撮像素子１４３は、検査画像が投影されている拡散板１２０の角膜反射像又は角膜の表面を示す画像である観察画像を取得する。撮像素子１４３が取得した観察画像は、制御部１５０に出力される。【００６８】
制御部１５０は、観察装置１の全体の動作を制御する。制御部１５０は、例えば、ＣＰＵ（Ｃｅｎｔｒａｌ  Ｐｒｏｃｅｓｓｉｎｇ  Ｕｎｉｔ）を備えていてもよい。制御部１５０は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリを備えていてもよい。【００６９】
第１実施例では特に、制御部１５０は、撮像部１４０が取得した観察画像を解析することで、角膜の表面に形成される涙液層の状態を推定する。更に、制御部１５０は、観察画像を網膜に結像させるための照明光Ｌ１２が被験者の瞳孔を通過するように、投影部１１０を制御する。制御部１５０は、主として涙液層の状態を推定するために、画像解析部１５１と、状態推定部１５２とを備えている。更に、制御部１５０は、主として照明光Ｌ１２が被験者の瞳孔を通過するように投影部１１０を制御するために、瞳孔検出部１５３と、表示制御部１５４とを備えている。【００７０】
制御部１５０は、画像解析部１５１、状態推定部１５２、瞳孔検出部１５３及び表示制御部１５４の動作をＣＰＵに実行させるためのコンピュータプログラムを、ＣＰＵ上で実行してもよい。制御部１５０は、このようなコンピュータプログラムをメモリ等の記録媒体から読み出してもよいし、ネットワークを介してダウンロードしてもよい。その結果、画像解析部１５１、状態推定部１５２、瞳孔検出部１５３及び表示制御部１５４は、例えば、論理的な処理ブロックとしてＣＰＵ上で機能する。但し、画像解析部１５１、状態推定部１５２、瞳孔検出部１５３及び表示制御部１５４のうちの少なくとも一つは、制御部１５０内に物理的に実現される回路ブロックであってもよい。【００７１】
画像解析部１５１は、撮像部１４０が取得した観察画像を解析する。例えば、後に詳述するように、全白色の検査画像が拡散板１２０に投影されている場合には、画像解析部１５１は、観察画像に現れる干渉色を解析してもよい。尚、観察画像に現れる干渉色は、油層の表面によって反射された反射光Ｌ３１と油層の裏面（つまり、油層と水層との界面）によって反射された反射光Ｌ３１との干渉光が呈する色を意味する。例えば、後に詳述するように、線状パターンを含む検査画像が拡散板１２０に投影されている場合には、画像解析部１５１は、観察画像に現れる線状パターンの経時的な変化（時間的な変化）を解析してもよい。【００７２】
状態推定部１５２は、画像解析部１５１の解析結果に基づいて、涙液層の状態を推定する（言い換えれば、計測する）。例えば、状態推定部１５２は、画像解析部１５１の解析結果の一例である「観察画像に現れる干渉色」に基づいて、涙液層の状態の一例である「油層（つまり、涙液層を構成する一つの層である油層）の厚さ」を推定してもよい。例えば、状態推定部１５２は、画像解析部１５１の解析結果の一例である「線状パターンの経時的な変化」に基づいて、涙液層の状態の一例である「ＢＵＴ（ｔｅａｒ  ｆｉｌｍ  Ｂｒｅａｋ  Ｕｐ  Ｔｉｍｅ：涙液層破壊時間：被験者の眼が開いてから涙液層の表面に亀裂が入るまでの時間）」を推定してもよい。【００７３】
瞳孔検出部１５３は、撮像部１４０が取得した観察画像中に現れる被験者の瞳孔の位置を検出する。例えば、瞳孔検出部１５３は、撮像部１４０が取得した観察画像を解析することで、観察画像中に現れる瞳孔の位置を検出する。【００７４】
表示制御部１５４は、涙液層の状態を観察するために用いられる検査画像を表示するように、表示素子１１１を制御する。更に、表示制御部１５４は、撮像部１４０が取得した観察画像を表示するように、表示素子１１１を制御する。【００７５】
第１実施例では、表示制御部１５４は、第２表示領域１１１ａ２を取り囲む第１表示領域１１１ａ１に検査画像を表示するように、表示素子１１１を制御する。更に、表示制御部１５４は、第１表示領域１１１ａ１によって取り囲まれる第２表示領域１１１ａ２に観察画像を表示するように、表示素子１１１を制御する。従って、表示制御部１５４は、観察画像が検査画像の中心部（或いは、中心部の近傍）に重なるように観察画像と検査画像とを合成することで得られる投影画像を表示するように、表示素子１１１を制御する。言い換えれば、表示制御部１５４は、検査画像が観察画像を取り囲むように観察画像と検査画像とを合成することで得られる投影画像を表示するように、表示素子１１１を制御する。【００７６】
表示制御部１５４は更に、瞳孔検出部１５３の検出結果に基づいて、表示素子１１１の表示面１１１ａ上における観察画像の表示位置を調整する。つまり、表示制御部１５４は更に、瞳孔検出部１５３の検出結果に基づいて、観察画像の表示位置を調整するように表示素子１１１を制御する。具体的には、表示制御部１５４は、観察画像を網膜に結像させるための照明光Ｌ１２が瞳孔を通過するように、表示面１１１ａ上における観察画像の表示位置を調整する。つまり、表示制御部１５４は、表示面１１１ａ上において第２表示領域１１１ａ２が分布する位置を調整する。【００７７】
尚、表示面１１１ａ上における観察画像の表示位置の調整は、角膜の表面（或いは、照明光Ｌ１２を投影部１１０から網膜に導く光学部材（例えば、ケーラー照明用レンズ１３１や、接眼レンズ１２４）の光軸に垂直な仮想的な光学面）上における観察画像の投影位置の調整に相当する。つまり、表示面１１１ａ上における観察画像の表示位置の調整は、角膜の表面上における照明光Ｌ１２の照射位置の調整に相当する。従って、表示制御部１５４は、実質的には、観察画像の投影位置（つまり、照明光Ｌ１２の照射位置）を調整しているとも言える。【００７８】
（１−２）第１実施例の観察装置１の動作
続いて、図２を参照しながら、第１実施例の観察装置１の動作について説明する。図２は、第１実施例の観察装置１の動作の流れを示すフローチャートである。【００７９】
図２に示すように、表示制御部１５４は、表示面１１１に検査画像を表示するように、表示素子１１１を制御する（ステップＳ１０１）。このとき、表示制御部１５４は、表示面１１１の全面に検査画像を表示するように、表示素子１１１を制御してもよい。或いは、表示制御部１５４は、表示面１１１ａのうちの第１表示領域１１１ａ１（つまり、表示面１１１ａの中心部又は第２表示領域１１１ａ２を除く領域）に検査画像を表示するように、表示素子１１１を制御してもよい。その結果、表示素子１１１は、検査画像を表示する（ステップＳ１０１）。【００８０】
ここで、図３（ａ）から図３（ｄ）を参照しながら、検査画像について説明する。図３（ａ）から図３（ｄ）は、夫々、検査画像を示す平面図である。【００８１】
図３（ａ）は、観察装置１が涙液層の状態の一例である油層の厚さを推定する場合に表示される検査画像を示している。図３（ａ）に示すように、観察装置１が油層の厚さを推定する場合には、表示制御部１５４は、全白色の画像（つまり、全体が白色となる画像）である検査画像を表示するように、表示素子１１１を制御する。【００８２】
図３（ｂ）は、観察装置１が涙液層の状態の一例であるＢＵＴを推定する場合に表示される検査画像の第１例を示している。図３（ｂ）に示すように、観察装置１がＢＵＴを推定する場合には、表示制御部１５４は、同心円の複数のリングの画像（つまり、多重リング状パターン）である検査画像を表示するように、表示素子１１１を制御する。【００８３】
図３（ｃ）は、観察装置１がＢＵＴを推定する場合に表示される検査画像の第２例を示している。図３（ｃ）に示すように、観察装置１がＢＵＴを推定する場合には、表示制御部１５４は、図３（ｂ）に示す多重リング状パターンである検査画像に代えて、互いに平行な複数の直線又は線分の画像（つまり、ストライプ状パターン）である検査画像を表示するように、表示素子１１１を制御してもよい。【００８４】
図３（ｄ）は、観察装置１がＢＵＴを推定する場合に表示される検査画像の第３例を示している。図３（ｄ）に示すように、観察装置１がＢＵＴを推定する場合には、表示制御部１５４は、図３（ｂ）に示す多重リング状パターンである検査画像及び図３（ｃ）に示すストライプ状パターンである検査画像に代えて、格子の画像（つまり、格子状パターン）である検査画像を表示するように、表示素子１１１を制御してもよい。【００８５】
つまり、観察装置１がＢＵＴを推定する場合には、表示制御部１５４は、複数の直線、線分又は曲線の画像（つまり、線状パターン）である検査画像を表示するように、表示素子１１１を制御する。【００８６】
尚、図３（ａ）に示す検査画像は、観察装置１が油層の厚さを推定する場合に表示される検査画像の一例に過ぎない。従って、観察装置１が油層の厚さを推定する場合に、表示制御部１５４は、図３（ａ）に示す検査画像とは異なる他の検査画像を表示するように、表示素子１１１を制御してもよい。【００８７】
同様に、図３（ｂ）から図３（ｄ）に示す検査画像は、観察装置１がＢＵＴを推定する場合に表示される検査画像の一例に過ぎない。従って、観察装置１がＢＵＴを推定する場合に、表示制御部１５４は、図３（ｂ）から図３（ｄ）に示す検査画像とは異なる他の検査画像を表示するように、表示素子１１１を制御してもよい。【００８８】
再び図２において、表示素子１１１が検査画像を表示すると、表示面１１１ａ（或いは、第１表示領域１１１ａ１）からは、検査画像を拡散板１２０に投影するための照明光Ｌ１１が出射される。照明光Ｌ１１は、投影レンズ１１２及び投影絞り１１３を介して、拡散板１２０に入射する。その結果、拡散板１２０上では、検査画像が結像する。拡散板１２０は、拡散板１２０に入射してくる照明光Ｌ１１を、照明光Ｌ２１として拡散する。その結果、照明光Ｌ２１は、被験者の角膜に入射する。従って、拡散板１２０は、投影部１１０が投影している検査画像に応じた明暗パターンで眼を照明する照明板として機能する。このとき、検査画像は、角膜上で結像していてもよい。或いは、検査画像は、角膜上で結像していなくてもよい。【００８９】
その後、撮像部１４０は、検査画像が投影されている拡散板１２０の角膜反射像もしくは角膜の表面を撮像する（ステップＳ１０２）。その結果、撮像部１４０は、角膜の表面状態を反映した画像である観察画像を取得する（ステップＳ１０２）。【００９０】
ここで、図４を参照しながら、観察画像について説明する。図４は、観察画像を示す平面図である。【００９１】
図４は、図３（ｂ）に示す検査画像（多重リング状パターン）が拡散板１２０投影されている場合に当該拡散板１２０の角膜反射像を撮像することで取得される観察画像を示している。図４に示すように、観察画像中には、被験者の角膜（更には、眼）に映り込んでいる拡散板１２０上の検査画像（つまり、多重リング状パターン）のみならず、被験者の前眼部が含まれている。但し、後述するように観察装置１がＢＵＴを推定する場合には、撮像レンズ１４２は角膜に映り込んでいる拡散板１２０にピントを合わせることが好ましいがゆえに、被験者の前眼部は多少ボケる可能性がある。【００９２】
再び図２において、表示制御部１５４は、ステップＳ１０１で表示素子１１１が表示している検査画像とステップＳ１０２で撮像部１４０が取得した観察画像とを合成する（ステップＳ１０３）。その結果、表示制御部１５４は、検査画像と観察画像とを合成することで得られる投影画像を生成する（ステップＳ１０３）。【００９３】
ここで、図５を参照しながら、検査画像と観察画像とを合成することで得られる投影画像について説明する。図５は、検査画像と観察画像とを合成することで得られる投影画像を示す平面図である。【００９４】
図５に示すように、投影画像中において、多重リング状パターンである検査画像は、観察画像を取り囲む。投影画像中において、観察画像は、検査画像の中心部又は当該中心部の近傍に配置される。このため、表示制御部１５４は、検査画像が観察画像を取り囲むように（例えば、検査画像の中心部又は当該中心部の近傍に観察画像が位置する）ように、検査画像と観察画像とを合成する。言い換えれば、表示制御部１５４は、第２表示領域１１１ａ２を取り囲む第１表示領域１１１ａ１に検査画像が表示され且つ第１表示領域１１１ａ１によって取り囲まれる第２表示領域１１１ａ２に検査画像が表示されるように、検査画像と観察画像とを合成する。【００９５】
再び図２において、その後、表示制御部１５４は、ステップＳ１０３で生成した投影画像（つまり、検査画像と観察画像とを合成することで得られる画像）を表示するように、表示素子１１１を制御する（ステップＳ１０４）。その結果、表示素子１１１は、投影画像（つまり、検査画像と観察画像とを合成することで得られる画像）を表示する（ステップＳ１０４）。【００９６】
表示素子１１１が投影画像を表示すると、表示面１１１ａのうちの第１表示領域１１１ａ１からは、検査画像を眼に投影する（より具体的には、検査画像を拡散板１２０に投影する）ための照明光Ｌ１１が出射される。このため、上述したように、拡散板１２０は、投影部１１０が投影している検査画像に応じた明暗パターンで眼を照明する照明板として機能する。【００９７】
一方で、表示素子１１１が投影画像を表示すると、表示面１１１ａのうちの第２表示領域１１１ａ２からは、観察画像を眼に投影する（より具体的には、観察画像を網膜上に結像させる）ための照明光Ｌ１２が出射される。照明光Ｌ１２は、投影レンズ１１２、投影絞り１１３、ケーラー照明用レンズ１３１、ビームスプリッタ１３２及び接眼レンズ１２４を介して、被験者の角膜に入射する。その結果、照明光Ｌ１２は、被験者の網膜上で結像する。従って、被験者は、検査画像が投影されている角膜の表面の画像である観察画像を視認することができる。【００９８】
その後、画像解析部１５１は、ステップＳ１０２で撮像部１４０が取得した観察画像を解析する（ステップＳ１１１）。【００９９】
例えば、観察装置１が油層の厚さを推定する場合には、撮像部１４０は、撮像レンズ１４２のピントを角膜の表面に合わせた上で、角膜の表面を撮像する。このため、観察画像は、全白色の画像である検査画像によって照明されている角膜の表面の画像となる。この場合、画像解析部１５１は、観察画像に含まれる検査画像に生ずる干渉色（つまり、観察画像に現れる干渉色）を識別するように、観察画像を解析する。但し、画像解析部１５１は、観察画像に含まれる検査画像の特徴のうち干渉色とは異なる特徴を推定するように、観察画像を解析してもよい。【０１００】
例えば、観察装置１がＢＵＴを推定する場合には、撮像部１４０は、撮像レンズ１４２のピントを角膜に写った拡散板１２０に合わせた上で、拡散板１２０の表面１２２を撮像する。このため、観察画像は、多重リング状パターンである検査画像が投影されている拡散板１２０の角膜反射像となる。この場合、画像解析部１５１は、観察画像に含まれる複数のリングの経時的な変化（言い換えれば、時間的な変化）を判定するように、観察画像を解析する。特に、画像解析部１５１は、観察画像に含まれる複数のリングの経時的な破壊状況を判定するように、観察画像を解析する。尚、表示素子１１１がストライプ状パターン又は格子状パターンである検査画像を表示している場合においても、画像解析部１５１は、観察画像に含まれる複数のライン又は格子の経時的な変化（特に、破壊状況）を推定するように、観察画像を解析する。但し、画像解析部１５１は、観察画像に含まれる検査画像の特徴のうち複数の線の経時的な変化（特に、破壊状況）とは異なる特徴を推定するように、観察画像を解析してもよい。【０１０１】
その後、状態推定部１５２は、ステップＳ１１１における画像解析部１５１の解析結果に基づいて、涙液層の状態を推定する（ステップＳ１１２）。【０１０２】
例えば、観察装置１が油層の厚さを推定する場合には、画像解析部１５１は、観察画像に含まれる検査画像に生ずる干渉色を識別するように、観察画像を解析している。この場合、状態推定部１５２は、画像解析部１５１の解析結果に相当する干渉色に基づいて、油層の厚さを推定する。具体的には、全白色の画像である検査画像が投影されている拡散板１２０によって照明されている角膜を撮像することで得られる観察画像に現れる干渉色は、油層の厚さに固有の色となる傾向にある。従って、状態推定部１５２は、画像解析部１５１の解析結果に相当する干渉色に基づいて、油層の厚さを推定することができる。但し、状態推定部１５２は、油層の厚さとは異なる涙液層の状態を推定してもよい。【０１０３】
例えば、観察装置１がＢＵＴを推定する場合には、画像解析部１５１は、観察画像に含まれる検査画像に含まれる複数のリングの経時的な変化（特に、破壊状況）を判定するように、観察画像を解析している。この場合、状態推定部１５２は、画像解析部１５１の解析結果に相当する複数のリングの経時的な変化（特に、破壊状況）に基づいて、ＢＵＴを推定する。具体的には、涙液層の表面に亀裂が入ると、観察画像に含まれる複数のリングの形状が乱れる。従って、状態推定部１５２は、被験者の眼が開いてから観察画像に含まれる複数のリングの形状が乱れる（例えば、複数のリングのうちの少なくとも一つのリングの形状が所定態様で乱れる）までの時間を推定することで、ＢＵＴを推定することができる。但し、状態推定部１５２は、ＢＵＴとは異なる涙液層の状態を推定してもよい。【０１０４】
尚、ＢＵＴは、上述したように、被験者の眼がドライアイであるか否かを診断するための指標の１つとして用いられる。従って、観察装置１は、状態推定部１５２が推定したＢＵＴをユーザ（例えば、眼科医や被験者等）に提示することで、被験者の眼がドライアイであるか否かの診断をサポートしてもよい。【０１０５】
一方で、油層の厚さは、ＢＵＴと一定の相関があることが知られている。従って、観察装置１は、状態推定部１５２が推定した油層の厚さをユーザに提示することで、被験者の眼がドライアイであるか否かの診断をサポートしてもよい。観察装置１は、状態推定部１５２が推定した油層の厚さに基づいてＢＵＴを推定すると共に当該推定したＢＵＴをユーザに提示することで、被験者の眼がドライアイであるか否かの診断をサポートしてもよい。【０１０６】
第１実施例では更に、ステップＳ１１１における観察画像の解析動作及びステップＳ１１２における涙液層の状態の推定動作と並行して、表示制御部１５４は、瞳孔検出部１５３の検出結果に基づいて、表示素子１１１の表示面１１１ａ上における観察画像の表示位置を調整する。【０１０７】
具体的には、瞳孔検出部１５３は、撮像部１４０が取得した観察画像中に現れる被験者の瞳孔の位置を検出する（ステップＳ１２１）。例えば、瞳孔検出部１５３は、撮像部１４０が取得した観察画像を解析することで、観察画像中に現れる瞳孔の位置を検出する。【０１０８】
瞳孔検出部１５３は、瞳孔（或いは、瞳孔を取り囲む虹彩又は瞳孔を含む眼の少なくとも一部）のパターンを観察画像中から検出するパターンマッチング処理を行うことで、観察画像中に現れる瞳孔の位置を検出してもよい。尚、パターンマッチング処理そのものは公知であるため、パターンマッチング処理の詳細な説明は省略する。【０１０９】
或いは、例えば、検査画像として多重リング状パターンが角膜の表面に投影されている場合には、典型的には、ステップＳ１０１で表示素子１１１が検査画像を表示した段階で、アライメント動作が行われる。アライメント動作は、例えば、多重リング状パターンを構成する複数のリングの中心と瞳孔の中心とが一致するように、被験者の眼の位置又は検査画像若しくは投影画像の投影位置を調整する動作である。つまり、アライメント動作により、複数のリングと瞳孔との間の位置関係は、所定の位置関係となっている。この場合、瞳孔検出部１５３は、観察画像中の複数のリングの位置に基づいて、瞳孔の位置を検出してもよい。【０１１０】
或いは、表示制御部１５４は、瞳孔の位置を検出するためのマーカが検査画像中に含まれるように表示素子１１１を制御してもよい。この場合、瞳孔検出部１５３は、観察画像中のマーカの位置に基づいて、瞳孔の位置を検出してもよい。【０１１１】
いずれにせよ、瞳孔検出部１５３は、何らかの公知な又は新規の方法を用いて、観察画像中に現れる被験者の瞳孔の位置を検出する。【０１１２】
その後、表示制御部１５４は、ステップＳ１２１における瞳孔検出部１５３の検出結果（つまり、検出された瞳孔の位置）に基づいて、観察画像を網膜上に結像させるための照明光Ｌ１２が瞳孔を通過することが可能か否かを判定する（ステップＳ１２２）。【０１１３】
例えば、表示制御部１５４は、以下に示す動作を行うことで、照明光Ｌ１２が瞳孔を通過することが可能か否かを判定してもよい。まず、表示制御部１５４は、第２表示領域１１１ａ２に表示された観察画像を網膜上に結像させるための照明光Ｌ１２の光路を算出する。その結果、表示制御部１５４は、角膜上における照明光Ｌ１２の通過位置を特定することができる。その後、表示制御部１５４は、角膜上における照明光Ｌ１２の通過位置が、瞳孔検出部１５３が検出した瞳孔の位置と一致するか否かを判定する。つまり、表示制御部１５４は、角膜上における照明光Ｌ１２の通過位置が、瞳孔検出部１５３が検出した瞳孔の位置に包含されるか否かを判定する。角膜上における照明光Ｌ１２の通過位置が、瞳孔検出部１５３が検出した瞳孔の位置と一致する（つまり、瞳孔検出部１５３が検出した瞳孔の位置に包含される）場合には、表示制御部１５４は、照明光Ｌ１２が瞳孔を通過することが可能であると判定する。但し、表示制御部１５４は、上に述べた方法とは異なる公知な又は新規の方法を用いて、照明光Ｌ１２が瞳孔を通過することが可能か否かを判定してもよい。【０１１４】
ステップＳ１２２の判定の結果、照明光Ｌ１２が瞳孔を通過することが可能でないと判定される場合には（ステップＳ１２２：Ｎｏ）、表示制御部１５４は、照明光Ｌ１２が瞳孔を通過するように、表示面１１１ａ上における観察画像の表示位置を調整する（ステップＳ１２３）。つまり、表示制御部１５４は、照明光Ｌ１２が瞳孔を通過するように、表示面１１１ａ上における第２表示領域１１１ａ２の分布位置を調整する（ステップＳ１２３）。【０１１５】
ここで、図６（ａ）から図６（ｄ）及び図７（ａ）から図７（ｅ）を参照しながら、表示面１１１ａ上における観察画像の表示位置の調整動作について説明する。尚、以下では、多重リング状パターンである検査画像が眼に投影されている例を用いて説明を進める。【０１１６】
図６（ａ）は、表示面１１１ａの中心部である表示基準位置に観察画像が表示されている例を示している。つまり、図６（ａ）は、観察画像の中心が検査画像の中心（つまり、複数のリングの中心）と一致するように、観察画像が表示面１１１ａ上の表示基準位置に表示されている例を示している。【０１１７】
表示面１１１ａ上の表示基準位置に表示されている観察画像は、瞳孔が瞳孔基準位置に位置する場合に網膜に結像するものとする。瞳孔が瞳孔基準位置に位置するという状態は、図６（ｂ）に示すように、瞳孔が被験者の真正面を向いているという状態であるものとする。この場合、図６（ｃ）に示すように、観察画像中において、表示基準位置に表示されている観察画像を構成する複数のリングの中心は、瞳孔基準位置に位置する瞳孔の中心と一致するものとする。つまり、瞳孔が瞳孔基準位置に位置するという状態は、観察画像中において表示基準位置に表示されている観察画像を構成する複数のリングの中心が瞳孔の中心に一致する状態であるものとする。【０１１８】
この場合には、図６（ｄ）に示すように、観察画像を網膜に結像させるための照明光Ｌ１２は、瞳孔基準位置に位置する瞳孔を通過することができる。その結果、照明光Ｌ１２は、網膜上で結像する。つまり、観察画像は、網膜上で結像する。従って、被験者は、観察画像を視認することができる。【０１１９】
このような図６（ａ）から図６（ｄ）に示す状態を基準として、図７（ａ）に示すように、被験者が眼を動かした場合を想定する。具体的には、図７（ａ）に示すように、瞳孔が瞳孔基準位置から所定ずれ量ｓ０だけずれた位置に位置する場合を想定する。図７（ａ）に示す例では、被験者が眼を左側（但し、被験者から見て左側であり、投影部１１０から見て右側）に向けて動かしている。つまり、図７（ａ）に示す例では、瞳孔は、瞳孔基準位置から左側に向かって所定ずれ量ｓ０だけずれた位置に位置している。【０１２０】
図７（ｂ）は、図７（ａ）に示す眼を撮像する（言い換えれば、図７（ａ）に示す眼による拡散板１２０の反射像を撮像する）ことで取得される観察画像を示す。図７（ｂ）に示すように、瞳孔が瞳孔基準位置からずれると、観察画像中において、表示基準位置に表示されている観察画像を構成する複数のリングの中心が瞳孔の中心に一致しなくなる。具体的には、瞳孔の中心は、表示基準位置に表示されている観察画像を構成する複数のリングの中心から所定ずれ量ｓ１だけずれた位置に位置する。図７（ｂ）に示す例では、瞳孔の中心は、表示基準位置に表示されている観察画像を構成する複数のリングの中心から右側（但し、観察画像に向かって右側）に向かって所定ずれ量ｓ１だけずれた位置に位置する。尚、所定ずれ量ｓ１は、典型的には所定ずれ量ｓ０に比例する。【０１２１】
この場合には、図７（ｃ）に示すように、表示基準位置に表示されている観察画像を網膜に結像させるための照明光Ｌ１２は、瞳孔基準位置からずれた位置に位置する瞳孔を通過することができない。その結果、照明光Ｌ１２は、網膜上で結像することはない。つまり、観察画像は、網膜上で結像することはない。従って、被験者は、観察画像を視認することができない。【０１２２】
そこで、第１実施例では、表示制御部１５４は、照明光Ｌ１２が瞳孔を通過するように、表示面１１１ａ上における観察画像の表示位置（つまり、第２表示領域１１１ａ２の位置）を調整する。具体的には、図７（ｄ）に示すように、表示制御部１５４は、観察画像の表示位置が表示基準位置から所定ずれ量ｓ２だけずれた位置と一致するように、観察画像の表示位置を調整する。尚、所定ずれ量ｓ２は、典型的には所定ずれ量ｓ０に比例する。【０１２３】
尚、図７（ｄ）に示す例では、表示制御部１５４は、観察画像の表示位置が表示基準位置から左側（但し、投影部１１０から見て左側であり、被験者から見て右側、以下同じ）に向かって所定ずれ量ｓ２だけずれた位置と一致するように、観察画像の表示位置を調整している。つまり、図７（ｄ）に示す例では、表示制御部１５４は、観察画像の表示位置が表示基準位置から瞳孔のずれ方向（つまり、基準位置に対する瞳孔のずれ方向）とは逆の方向に向かって所定ずれ量ｓ２だけずれた位置と一致するように、観察画像の表示位置を調整する。但し、照明光Ｌ１２を眼に導く光学系の設計によっては、表示制御部１５４は、観察画像の表示位置が表示基準位置から瞳孔のずれ方向と同じ方向に向かって所定ずれ量ｓ２だけずれた位置と一致するように、観察画像の表示位置を調整してもよい。【０１２４】
このため、図７（ｅ）に示すように、照明光Ｌ１２の光路が変化する。その結果、図７（ｅ）に示すように、表示基準位置からずれた位置に表示されている観察画像を網膜に結像させるための照明光Ｌ１２は、瞳孔基準位置からずれた位置に位置する瞳孔を通過することができる。その結果、照明光Ｌ１２は、網膜上で結像する。つまり、観察画像は、網膜上で結像する。従って、被験者は、眼（特に、瞳孔）を動かした場合であっても、観察画像を視認することができる。【０１２５】
再び図２において、他方で、ステップＳ１２２の判定の結果、照明光Ｌ１２が瞳孔を通過することが可能であると判定される場合には（ステップＳ１２２：Ｙｅｓ）、表示制御部１５４は、表示面１１１ａ上における観察画像の表示位置を調整しなくてもよい。【０１２６】
以降は、観察装置１による観察動作が終了するまでの間、ステップＳ１０２からステップＳ１０４、ステップＳ１１１からステップＳ１１２及びステップＳ１２１からステップＳ２１３の動作が繰り返し行われる（ステップＳ１３１）。【０１２７】
以上説明したように、第１実施例の観察装置１は、被験者の瞳孔の位置に基づいて、表示面１１１ａ上における観察画像の表示位置を調整することができる。従って、被験者は、眼（特に、瞳孔）を動かした場合であっても、観察画像を視認することができる。つまり、被験者は、眼（特に、瞳孔）の位置が変わる場合であっても、観察画像を視認することができる。【０１２８】
加えて、第１実施例の観察装置１は、観察画像を解析することで、被験者の瞳孔の位置を検出することができる。従って、観察装置１は、被験者の瞳孔の位置を比較的容易に検出することができる。【０１２９】
加えて、第１実施例の観察装置１は、検査画像が観察画像を取り囲むように（言い換えれば、検査画像の中心部又は当該中心部の近傍に観察画像が位置するように）観察画像と検査画像とを合成することで得られる投影画像を投影することができる。ここで、瞳孔が眼の中心（つまり、眼の表面、前眼部の表面又は角膜の表面の中心）に位置する可能性が高い。そうすると、投影画像の中心部に観察画像が位置する場合には、投影画像の中心部に観察画像が位置しない場合と比較して、照明光Ｌ１２が瞳孔を通過する可能性が高くなる。従って、観察装置１は、照明光Ｌ１２が瞳孔を通過する可能性が相対的に高くなるように、観察画像を好適に投影することができる。【０１３０】
一方で、投影画像の中心部の周辺に検査画像が位置する場合には、投影画像の中心部に検査画像が位置する場合と比較して、照明光Ｌ１１が瞳孔を通過する可能性が低くなる。つまり、照明光Ｌ１１が瞳孔の周囲に投影される可能性が高くなる。その結果、被験者は、観察画像を好適に視認する一方で、視認する必要性が相対的に小さい検査画像の一部又は全部を視認することはなくなる。従って、被験者は、観察画像と共に眼に投影される検査画像に煩わされることなく、観察画像を好適に視認することができる。【０１３１】
尚、表示制御部１５４は、表示面１１１ａ上における観察画像の表示位置を調整することに加えて、表示面１１１ａ上における検査画像の表示位置を調整してもよい。このとき、表示制御部１５４は、表示面１１１ａ上における観察画像の表示位置の調整態様と同様の調整態様で、表示面１１１ａ上における検査画像の表示位置を調整してもよい。例えば、多重リング状パターンである検査画像が眼に投影されている場合には、表示制御部１５４は、角膜の表面に投影される複数のリングの中心が瞳孔の中心に一致するように、表示面１１１ａ上における検査画像の表示位置を調整してもよい。或いは、任意の検査画像が眼に投影されている場合には、表示制御部１５４は、角膜の表面に投影される検査画像と瞳孔との間の位置関係が瞳孔の位置の変化に係らず所定の位置関係となるように、表示面１１１ａ上における検査画像の表示位置を調整してもよい。【０１３２】
また、表示制御部１５４は、瞳孔の位置に基づいて観察画像の表示位置を調整することに加えて又は代えて、照明光Ｌ１２が瞳孔を通過するか否かを直接的に又は間接的に示すその他の特性に基づいて観察画像の表示位置を調整してもよい。【０１３３】
また、表示制御部１５４は、観察画像を第２表示領域１１１ａ２に表示するように表示素子１１１を制御することに加えて又は代えて、観察画像とは異なる任意の画像を第２表示領域１１１ａ２に表示するように表示素子１１１を制御してもよい。例えば、表示制御部１５４は、眼の状態の観察にとって有用な情報を示す画像を第２表示領域１１１ａ２に表示するように表示素子１１１を制御してもよい。その結果、被験者は、観察装置１が眼の状態を観察している間においても、様々な情報を好適に認識することができる。つまり、被験者は、拡散板１２０の接眼レンズ１２４から眼を離すことなく、様々な情報を好適に認識することができる。【０１３４】
（２）第２実施例
続いて、図８を参照しながら、第２実施例の観察装置２について説明する。図８は、第２実施例の観察装置２の構成を示すブロック図である。尚、第１実施例の観察装置１が備える構成要件と同一の構成要件については、同一の参照番号を付することでその詳細な説明を省略する。【０１３５】
図８に示すように、第２実施例の観察装置２は、第１実施例の観察装置１と比較して、拡散板１２０及び接眼レンズ１２４に代えて、上述した実施形態中の「投影手段」の一具体例である対物レンズ２２０を備えているという点において異なっている。第２実施例の観察装置２が備えるその他の構成要件は、第１実施例の観察装置１が備えるその他の構成要件と同一であってもよい。【０１３６】
対物レンズ２２０は、投影レンズ１１２と共に、対物レンズ２２０に入射してくる照明光Ｌ１１を被験者の角膜（或いは、その近傍、以下同じ）上に結像させる。具体的には、対物レンズ２２０は、投影レンズ１１２と共に、対物レンズ２２０に入射してくる照明光Ｌ１１を、角膜に接する（特に、角膜の中心部又はその近傍に接する）又は角膜の近傍に位置する仮想的な結像面上に結像させる。【０１３７】
対物レンズ２２０は更に、投影レンズ１１２及びケーラー照明用レンズ１３１と共に、対物レンズ２２０に入射してくる照明光Ｌ１２を被験者の網膜上に結像させる。尚、典型的には、ケーラー照明用レンズ１３１と対物レンズ２２０との間には、照明光Ｌ１２が結像する中間結像面が位置する。例えば、照明光Ｌ１２は、ケーラー照明用レンズ１３１と対物レンズ２２０との間に位置する対物レンズ２２０の前側焦点と一致する中間結像面上で結像する。【０１３８】
その結果、第２実施例においても、第１実施例と同様に、投影部１１０が投影している検査画像に応じた明暗パターンで眼を照明する照明板として対物レンズ２２０が機能すると共に、投影部１１０が投影している観察画像が網膜上で結像する。【０１３９】
一方で、角膜によって反射された照明光Ｌ１１である反射光Ｌ３１は、対物レンズ２２０を介してビームスプリッタ１３２の反射面に入射する。このため、第２実施例においても、角膜によって反射された照明光Ｌ１１である反射光Ｌ３１は、撮像部１４０に入射する。その結果、撮像部１４０は、観察画像を取得することができる。【０１４０】
第２実施例では、投影絞り１１３と角膜の曲率中心とは、共役の関係にあることが好ましい。この場合、照明光Ｌ１１は、角膜に対してほぼ垂直に入射する。その結果、角膜によって反射された照明光Ｌ１１である反射光Ｌ３１は、照明光Ｌ１１の光路とほぼ同一の光路を通って対物レンズ２２０を通過し且つビームスプリッタ１３２に入射する。但し、図８では、角膜によって反射された照明光Ｌ１１が反射光Ｌ３１であることを明確に説明するという説明の便宜上、照明光Ｌ１１の光路と反射光Ｌ３１の光路とが大きく区別して記載されている。【０１４１】
第２実施例の観察装置２は、上述した第１実施例の観察装置１が行う動作（つまり、図２に示す動作）を行うことができる。その結果、第２実施例の観察装置２は、上述した第１実施例の観察装置１が享受することができる効果を好適に享受することができる。【０１４２】
尚、観察装置２は、ケーラー照明用レンズ１３１を備えていなくてもよい。この場合、観察装置２は、投影レンズ１１２を投影レンズ１１２の光軸に沿って移動させてもよい。例えば、投影レンズ１１２は、投影レンズ１１２が第１位置に位置する場合に、対物レンズ２２０と共に照明光Ｌ１１を角膜上に結像させることができる。同様に、例えば、投影レンズ１１２は、投影レンズ１１２が第１位置とは異なる第２位置に位置する場合に、対物レンズ２２０と共に照明光Ｌ１２を網膜上に結像させることができる。従って、観察装置２は、投影レンズ１１２を移動させることで、検査画像が角膜の表面に投影され且つ観察画像が網膜上で結像するように、検査画像及び観察画像を含む投影画像を投影することができる。加えて、投影レンズ１１２の移動に同期して表示素子１１１が投影画像を表示するように、制御部１５０が表示素子１１１を制御してもよい。投影レンズ１１２が第１位置に位置する場合、照明光Ｌ１１が角膜上に結像するがゆえに、撮像部１４０は観察画像を好適に取得することができる。しかしながら、照明光Ｌ１２は網膜上に結像しないがゆえに、被験者は観察画像を視認することができない。一方、投影レンズ１１２が第２位置に位置する場合、照明光Ｌ１２が網膜上に結像するがゆえに、被験者は観察画像を視認することができる。しかしながら、照明光Ｌ１１は角膜上に結像しないがゆえに、検査画像にぼけが生じる。このため、投影レンズ１１２が第１位置に位置する場合に撮像部１４０が得た観察画像を、投影レンズ１１２が第２位置に位置する場合に表示素子１１１が表示すれば、フレームレートは落ちるもののケーラー照明用レンズ１１３を備えなくても被験者が観察画像を視認することができる。ここで、投影レンズ１１２が第１位置に位置する場合、表示素子１１１が表示する投影画像は被験者が視認できないので、観察画像を検査画像と合成する必要はなく、投影画像が検査画像と一致していてもよい。【０１４３】
或いは、観察装置２がケーラー照明用レンズ１３１を備えていない場合には、対物レンズ２２０は、照明光Ｌ１１が通過すると共に照明光Ｌ１１を角膜に結像させるレンズ部分と、照明光Ｌ１２が通過すると共に照明光Ｌ１２を網膜に結像させるレンズ部分を備えていてもよい。或いは、対物レンズ２２０は、照明光Ｌ１１が通過すると共に照明光Ｌ１１を角膜に結像させるレンズ部分を備える一方で、照明光Ｌ１２が通過する開口が対物レンズ２２０に形成されていてもよい。その結果、観察装置２は、検査画像が角膜の表面に投影され且つ観察画像が網膜上で結像するように、検査画像及び観察画像を含む投影画像を投影することができる。【０１４４】
（３）第３実施例
続いて、図９を参照しながら、第３実施例の観察装置３について説明する。図９は、第３実施例の観察装置３の構成を示すブロック図である。尚、第１実施例の観察装置１が備える構成要件と同一の構成要件については、同一の参照番号を付することでその詳細な説明を省略する。【０１４５】
図９に示すように、第３実施例の観察装置３は、上述した実施形態中の「投影手段」の一具体例である投影部３１０と、上述した実施形態中の「投影手段」の一具体例であるプラチド板３２０と、上述した実施形態中の「投影手段」の一具体例である接眼レンズ３２４と、ビームスプリッタ３３２と、撮像部１４０と、制御部３５０とを備えている。【０１４６】
投影部３１０は、第１実施例の投影部１１０と比較して、リレーレンズ３１４を備えているという点において異なっている。投影部３１０は、第１実施例の投影部１１０と比較して、検査画像を投影しない（つまり、照明光Ｌ１１を出射しない）という点において異なっている。第３実施例の投影部３１０が備えるその他の構成要件は、第１実施例の投影部１１０が備えるその他の構成要件と同一であってもよい。【０１４７】
リレーレンズ３１４は、投影レンズ１１２及び接眼レンズ３２４と共に、観察画像を網膜上に結像させるための照明光Ｌ１２を被験者の網膜上に結像させる。尚、典型的には、リレーレンズ３１４と対物レンズ２２０との間には、照明光Ｌ１２が結像する中間結像面が位置する。例えば、照明光Ｌ１２は、リレーレンズ３１４と接眼レンズ３２４との間に位置する接眼レンズ３２４の前側焦点と一致する中間結像面上で結像する。このため、リレーレンズ３１４は、実質的には、上述したケーラー照明用レンズ１３１と同様の機能を有するレンズであるとも言える。【０１４８】
プラチド板３２０は、検査画像に対応する明暗パターン（照明パターン）で角膜の表面を照明する板である。プラチド板３２０の一例である多重リング状パターンを投影するプラチド板３２０の構成例について説明する。被験者側（角膜側）を向いているプラチド板３２０の表面３２２は、凹面となっている。被験者側（角膜側）を向いているプラチド板３２０の表面３２２には、所定幅のリングパターンを構成する透光部が形成されている。表面３２２のうち透光部以外の領域は、遮光部となる。プラチド板３２０は、その内部に不図示の光源を備えている。光源が発した照明光Ｌ１１は、透光部を通過することで、角膜の表面に照射される。その結果、角膜の表面は、多重リング状パターンである検査画像に対応する明暗パターンで照明される。【０１４９】
第３実施例では、プラチド板３２０には、開口３２３が形成されている。被験者の眼は、角膜が開口３２３に対向することが可能な位置に位置している。開口３２３は、表面３２２からプラチド板３２０の他方の表面に向かってプラチド板３２０を貫通する開口である。開口３２３は、角膜によって反射された照明光Ｌ１１である反射光Ｌ３１が通過する開口である。開口３２３には、反射光Ｌ３１をビームスプリッタ１３２に導く接眼レンズ３２４が配置されている。【０１５０】
ビームスプリッタ３３２は、投影部３１０から出射する照明光Ｌ１２を、プラチド板３２０（特に、接眼レンズ３２４）に向けて反射する。一方で、ビームスプリッタ３３２は、角膜によって反射された照明光Ｌ１１である反射光Ｌ３１を透過する。【０１５１】
制御部３５０は、上述した第１実施例の制御部１５０と比較して、検査画像を表示するように表示制御部１５４が表示素子１１１を制御しなくてもよいという点において異なっている。第３実施例の制御部３５０が備えるその他の構成要件は、第１実施例の制御部１５０が備えるその他の構成要件と同一であってもよい。【０１５２】
第３実施例の観察装置３は、上述した第１実施例の観察装置１が行う動作（つまり、図２に示す動作）を行うことができる。但し、第３実施例では、表示素子１１１が観察画像を表示する（つまり、眼に投影する）一方で、プラチド板３２０が検査画像に応じた明暗パターンで眼を照明する。その結果、第３実施例の観察装置３は、上述した第１実施例の観察装置１が享受することができる効果を好適に享受することができる。【０１５３】
本発明は、上述した実施例に限られるものではなく、請求の範囲及び明細書全体から読み取れる発明の要旨或いは思想に反しない範囲で適宜変更可能である。そのような変更を伴なう観察装置及び観察方法並びにコンピュータプログラムもまた本発明の技術的範囲に含まれるものである。
【符号の説明】
【０１５４】
１、２、３  観察装置
１１０  投影部
１１１  表示素子
１１２  投影レンズ
１１３  投影絞り
１２０  拡散板
１２４  接眼レンズ
１３１  ケーラー照明用レンズ
１３２  ビームスプリッタ
１４０  撮像部
１４１  撮像絞り
１４２  撮像レンズ
１４３  撮像素子
１５０  制御部
１５１  画像解析部
１５２  状態推定部
１５３  瞳孔検出部
１５４  表示制御部
２２０  対物レンズ
３１０  投影部
３２０  プラチド板
３３２  ビームスプリッタ
【図１】
2016067365.tif 000003
【図２】
2016067365.tif 000004
【図３】
2016067365.tif 000005
【図４】
2016067365.tif 000006
【図５】
2016067365.tif 000007
【図６】
2016067365.tif 000008
【図７】
2016067365.tif 000009
【図８】
2016067365.tif 000010
【図９】
2016067365.tif 000011
【国際調査報告】
2016067365.tif 000012
2016067365.tif 000013
2016067365.tif 000014
2016067365.tif 000015